(57)【要約】【課題】局所排気装置を提供する。【解決手段】本発明は、吸入口を通して吸入した空気を外部に案内して排気する排気管に設けられて電源印加時に回転駆動力を発生させるモーター部材と、上記排気管の中心を回転中心にして回転するよう吸入口の先端に配置されてモーター部材の駆動軸に連結される回転構造物と、上記吸入口を通した空気の吸入方向に対して角度の調整ができるよう上記回転構造物の外部面に備えられた角度調節部材を介して組み立てられて回転時に過流を発生させる複数の過流発生用外部羽と、を含む局所排気装置を提供する。本発明によると、過流を発生させる外部羽の設置角度を使用者が簡単に調節して、排気処理しようとする現場条件の吸入範囲に合わせて吸入領域を適切に可変させることができ、ひとつの駆動源を利用して過流を発生させると同時に吸排気力を発生させることができる。
2012514178.tif 000002
【特許請求の範囲】
【請求項１】
吸入口を通して吸入した空気を外部に案内して排気する排気管に設置されて電源印加時に回転駆動力を発生させるモーター部材と、
前記排気管の中心を回転中心にして回転するよう吸入口の先端に配置されてモーター部材の駆動軸に連結される回転構造物と、
前記吸入口を通した空気の吸入方向に対して、角度の調整ができるよう前記回転構造物の外部面に備えられた角度調節部材を介して組み立てられて回転時に過流を発生させる複数の過流発生用外部羽と、を含む局所排気装置。
【請求項２】
前記回転構造物に備えられ、前記回転構造物の内側に位置するか前記回転構造物の回転中心である回転軸に備えられ前記排気管の内側に位置してモーター駆動時に前記回転構造物の内部または前記排気管内に吸排気力を発生させる吸排気用内部羽を含むことを特徴とする請求項１に記載の局所排気装置。
【請求項３】
前記吸排気用内部羽は、空気吸入方向に対して並んでいる内部面と外部面を有する中空円筒部材からなる回転構造物の外周面に固定端が固定され、前記固定端から屈曲延長して前記吸入口内に自由端が進入するよう一定長さ延長されることを特徴とする請求項２に記載の局所排気装置。
【請求項４】
前記吸排気用内部羽は、前記排気管内に配置される内部回転構造物の内周面に固定端が固定され、前記固定端から屈曲延長して排気管側に自由端が一定長さ延長されることを特徴とする請求項２に記載の局所排気装置。
【請求項５】
前記過流発生用外部羽は、空気吸入方向に対して並んでいる内部面と外部面を有する中空円筒部材からなる回転構造物の外周面に複数備えられるか、空気吸入方向に対して直交する上部面と下部面を有する中空ディスク部材からなる回転構造物の下部面に複数備えられることを特徴とする請求項１に記載の局所排気装置。
【請求項６】
前記角度調節部材は、前記回転構造物の外部面に垂直して一定高さ延長されて前記過流発生用外部羽の胴体の中央に貫通形成された結合孔に挿入される垂直部材と、前記垂直部材を中心にして角度調節された過流発生用外部羽を位置固定するよう前記垂直部材の端部に組み立てられ前記過流発生用外部羽に密着固定される固定部材と、を備えることを特徴とする請求項１に記載の局所排気装置。
【請求項７】
前記垂直部材は、前記結合孔の内部面に長さ方向に陥没形成された複数の結合溝に対応して結合するよう、胴体の外部面に長さ方向に突出形成された複数の突出段差を備えることを特徴とする請求項６に記載の局所排気装置。
【請求項８】
前記垂直部材は、前記結合孔の下段の内部面に形成された複数の結合溝に対応して結合するよう胴体一部の外部面に複数の突出段差を長さ方向に突出形成し、前記結合孔の上段の内部面に挿入するよう胴体の残りの外部面が円形の断面状に備えられることを特徴とする請求項６に記載の局所排気装置。
【請求項９】
吸入口を通して吸入した空気を外部に案内して排気する排気管に設置されて電源印加時に回転駆動力を発生させるモーター部材と、
前記排気管の中心を回転中心にして回転するよう吸入口の先端に配置されてモーター部材の駆動軸に連結される回転構造物と、
前記モーター部材の駆動力によって一方向に回転しながら前記回転構造物の下部に過流を形成するよう前記回転構造物の外部面に一定間隔をおいて複数備えられる過流発生用外部羽と、
前記モーター部材の駆動力によって一方向に回転しながら前記排気管の内部に吸排気力を形成するよう前記回転構造物の回転中心である回転軸または前記回転構造物の内部に備えられる吸排気用内部羽と、を含む局所排気装置。
【請求項１０】
前記吸排気用内部羽は、空気吸入方向に対して並んでいる内部面と外部面を有する中空円筒部材からなる回転構造物の外周面に固定端が固定され、前記固定端から屈曲延長されて前記吸入口内に自由端が進入するよう一定長さ延長されることを特徴とする請求項９に記載の局所排気装置。
【請求項１１】
前記吸排気用内部羽は、前記排気管内に配置される内部回転構造物の内周面に固定端が固定され、前記固定端から屈曲延長されて排気管側に自由端が一定長さ延長されることを特徴とする請求項９に記載の局所排気装置。
【請求項１２】
前記過流発生用外部羽は、空気吸入方向に対して並んでいる内部面と外部面を有する中空円筒部材からなる回転構造物の外周面に角度調整ができるよう角度調節部材を介して組み立てられるか、予め設定された設置角度に位置固定されることを特徴とする請求項９に記載の局所排気装置。
【請求項１３】
前記過流発生用外部羽は、空気吸入方向に対して直交する上部面と下部面を有する中空ディスク部材からなる回転構造物の下部面に角度調整ができるよう角度調節部材を介して組み立てられるか、予め設定された設置角度に位置固定されることを特徴とする請求項９に記載の局所排気装置。
【請求項１４】
前記角度調節部材は、前記回転構造物の外部面に垂直して延長されて前記過流発生用外部羽の胴体の中央に貫通形成された結合孔に挿入される垂直部材と、前記垂直部材を中心にして角度調節された過流発生用外部羽を位置固定するよう前記垂直部材の端部に組み立てられ前記過流発生用外部羽に密着固定される固定部材と、を備えることを特徴とする請求項１２または１３に記載の局所排気装置。
【請求項１５】
前記垂直部材は、前記結合孔の内部面に長さ方向に陥没形成された複数の結合溝に対応して結合するよう、胴体の外部面に長さ方向に突出形成された複数の突出段差を備えることを特徴とする請求項１４に記載の局所排気装置。
【請求項１６】
前記垂直部材は、前記結合孔の下段の内部面に形成された複数の結合溝に対応して結合するよう、胴体一部の外部面に複数の突出段差を長さ方向に突出形成し、前記結合孔の上段の内部面に挿入するよう胴体の残りの外部面が円形の断面状に備えられることを特徴とする請求項１４に記載の局所排気装置。
【発明の詳細な説明】
【技術分野】
【０００１】
本発明は、局所排気装置に関するもので、さらに詳しくは、過流を発生させる羽の設置角度を簡単に調節して過流の発生強度及び大きさを、汚染源が発生する条件に合わせて適切に可変させるよう過流の調節が可能で、ひとつの駆動源で過流発生用羽と吸排気用羽とを同時に回転駆動させることができる局所排気装置に関する。
【背景技術】
【０００２】
一般に、局所排気装置とは、汚染物質が頻繁に発生する工場の内部や一般家庭、飲食店などに設けられて排気管の端部である吸入口に吸排気力を提供することによって、汚染された空気を室内から外部に排気する設備である。
【０００３】
このような局所排気装置は、汚染物質が含まれた空気を強制に吸入する吸入口から遠く離れた底面から部分的に汚染源が発生したり、他の設置物によって吸入口を汚染源の近くに設置することが困難であったり、瞬間的に汚染源が発生したりする場合に有用に使用できる。
【０００４】
しかし、このような用途として使われる局所排気装置は、様々な問題を抱えているが、即ち、吸入口から遠くなるほど汚染源を除去できる効率が急激に低下するため、局所排気装置の吸入口は汚染物質が発生する汚染源に近く設置することが好ましいが、作業工程及び作業者の動きに邪魔になり設置条件上の制約を伴う。
【０００５】
これによって、過流を利用して吸入領域を拡大させる局所排気装置が特許文献１ないし５などに開示されている。
【０００６】
しかし、このような従来の局所排気装置は、排気管の端部である吸入口の外部に単純にファン状の羽を設置して過流を形成するもので、様々な設置環境による最適の効率を得るには十分でないだけでなく、設置環境による最適の過流を形成するためには、様々な形態の過流発生用羽を備えて試行錯誤を繰り返して設置しなければならなかった。
【０００７】
特に、設置環境の様々な条件に応じて吸入し排気しようとする室内空気を強制吸入できる範囲の吸入領域の大きさを調整することができないため、局所排気装置の機能を多様化して排気能力を増大させるには限界があった。
【０００８】
また、上記排気管には吸入口の近くに設置される過流発生用羽を回転駆動させる過流発生用モーター部材と、上記排気管の内部に吸排気力を発生させて室内空気を外部に排気する排気ファンを回転駆動させる排気用モーター部材をそれぞれ備えなければならないため、局所排気装置を構成する全体の構成部品数を増やしてしまい、製造コストが上昇し、消費電力が増加して設備維持費が加重する要因となった。
【先行技術文献】
【特許文献】
【０００９】
【特許文献１】大韓民国登録特許公報１０−０５２９００２号（２００５．１１．０９．登録日）
【特許文献２】大韓民国登録特許公報１０−０７８４２５０号（２００７．１２．０４．登録日）
【特許文献３】大韓民国登録特許公報１０−０８２１２９５号（２００８．０４．０３．登録日）
【特許文献４】大韓民国登録特許公報１０−０８７３５２１号（２００８．１２．０４．登録日）
【特許文献５】大韓民国登録特許公報１０−０８７３５２２号（２００８．１２．０４．登録日）
【発明の概要】
【発明が解決しようとする課題】
【００１０】
従って、本発明は、上記のような問題点を解決するためのもので、その目的は、過流を発生させる外部羽の設置角度を使用者が簡単に調節して、汚染空気を外部に排気処理しようとする現場条件の吸入可能範囲に合わせて吸入する実際領域を適切に拡張したり縮小することができる局所排気装置を提供することにある。
【００１１】
また、本発明の他の目的は、ひとつの駆動源を利用して過流を発生させる羽と吸排気力を発生させる羽を同時に回転駆動させることができるため、構成部品数を減らして設備構造を単純化し、製造コストを低減すると共に、消費電力を低減することのできる局所排気装置を提供することにある。
【課題を解決するための手段】
【００１２】
上記の目的を達成するための本発明は、吸入口を通して吸入した空気を外部に案内して排気する排気管に設けられて電源印加時に回転駆動力を発生させるモーター部材と、上記排気管の中心を回転中心にして回転するよう吸入口の先端に配置されてモーター部材の駆動軸に連結される回転構造物と、上記吸入口を通した空気の吸入方向に対して角度の調整ができるよう上記回転構造物の外部面に備えられた角度調節部材を介して組み立てられ回転時に過流を発生させる複数の過流発生用外部羽と、を含む局所排気装置を提供する。
【００１３】
好ましくは、上記回転構造物に備えられ上記回転構造物の内側に位置するか上記回転軸に備えられ上記排気管の内側に位置してモーターの駆動時に上記回転構造物の内部または上記排気管内に吸排気力を発生させる吸排気用内部羽を含む。
【００１４】
好ましくは、上記吸排気用内部羽は、空気吸入方向に対して並んでいる内部面と外部面を有する中空円筒部材からなる回転構造物の外周面に固定端が固定され、上記固定端から屈曲延長して上記吸入口内に自由端が進入するよう一定長さ延長される。
【００１５】
さらに好ましくは、上記吸排気用内部羽は、上記排気管内に配置される内部回転構造物の内周面に固定端が固定され、上記固定端から屈曲延長して排気管側に自由端が一定長さ延長される。
【００１６】
好ましくは、上記過流発生用外部羽は、空気吸入方向に対して並んでいる内部面と外部面を有する中空円筒部材からなる回転構造物の外周面に複数備えられるか空気吸入方向に対して直交する上部面と下部面を有する中空ディスク部材からなる回転構造物の下部面に複数備えられる。
【００１７】
好ましくは、上記角度調節部材は、上記回転構造物の外部面に垂直して一定高さ延長され上記過流発生用外部羽の胴体の中央に貫通形成された結合孔に挿入される垂直部材と、上記垂直部材を中心にして角度調節された過流発生用外部羽を位置固定するよう上記垂直部材の端部に組み立てられ上記過流発生用外部羽に密着固定される固定部材を備える。
【００１８】
さらに好ましくは、上記垂直部材は、上記結合孔の内部面に長さ方向に陥没形成された複数の結合溝に対応して結合するよう胴体の外部面に長さ方向に突出形成された複数の突出段差を備える。
【００１９】
さらに好ましくは、上記垂直部材は、上記結合孔の下段の内部面に形成された複数の結合溝に対応して結合するよう胴体一部の外部面に複数の突出段差を長さ方向に突出形成し、上記結合孔の上段の内部面に挿入するよう胴体の残りの外部面が円形の断面状に備えられる。
【００２０】
また、本発明は、吸入口を通して吸入した空気を外部に案内して排気する排気管に設けられて電源印加時に回転駆動力を発生させるモーター部材と、上記排気管の中心を回転中心にして回転するよう吸入口の先端に配置されてモーター部材の駆動軸に連結される回転構造物と、上記モーター部材の駆動力によって一方向に回転しながら上記回転構造物の下部に過流を形成するよう上記回転構造物の外部面に一定間隔をおいて複数備えられる過流発生用外部羽と、上記モーター部材の駆動力によって一方向に回転しながら上記排気管の内部に吸排気力を形成するよう上記モーター部材の回転軸または上記回転構造物の内部に備えられる吸排気用内部羽と、を含む局所排気装置を提供する。
【００２１】
好ましくは、上記吸排気用内部羽は、空気吸入方向に対して並んでいる内部面と外部面を有する中空円筒部材からなる回転構造物の外周面に固定端が固定され、上記固定端から屈曲延長して上記吸入口内に自由端が進入するよう一定長さ延長される。
【００２２】
好ましくは、上記吸排気用内部羽は、上記排気管内に配置される内部回転構造物の内周面に固定端が固定され、上記固定端から屈曲延長して排気管側に自由端が一定長さ延長される。
【００２３】
好ましくは、上記過流発生用外部羽は、空気吸入方向に対して並んでいる内部面と外部面を有する中空円筒部材からなる回転構造物の外周面に角度調整ができるよう角度調節部材を介して組み立てられるか、予め設定された設置角度に位置固定される。
【００２４】
好ましくは、上記過流発生用外部羽は、空気吸入方向に対して直交する上部面と下部面を有する中空ディスク部材からなる回転構造物の下部面に角度調整ができるよう角度調節部材を介して組み立てられるか、予め設定された設置角度に位置固定される。
【００２５】
さらに好ましくは、上記角度調節部材は、上記回転構造物の外部面に垂直して延長され上記過流発生用外部羽の胴体の中央に貫通形成された結合孔に挿入される垂直部材と、上記垂直部材を中心にして角度調節された過流発生用外部羽を位置固定するよう上記垂直部材の端部に組み立てられ上記過流発生用外部羽に密着固定される固定部材を備える。
【００２６】
さらに好ましくは、上記垂直部材は、上記結合孔の内部面に長さ方向に陥没形成された複数の結合溝に対応結合するよう胴体の外部面に長さ方向に突出形成された複数の突出段差を備える。
【００２７】
さらに好ましくは、上記垂直部材は、上記結合孔の下段の内部面に形成された複数の結合溝に対応して結合するよう胴体一部の外部面に複数の突出段差を長さ方向に突出形成し、上記結合孔の上段の内部面に挿入するよう胴体の残りの外部面が円形の断面状に備えられる。
【発明の効果】
【００２８】
本発明によると、モーター部材によって一方向に強制回転する回転構造物の外部面に、角度調節部材によって空気の吸入方向に対して角度調節が可能な複数の過流発生用外部羽を備えることにより、回転構造物の回転時にエアカーテンの役割をするよう過流を発生させる外部羽の設置角度を使用者が簡単かつ正確に調節できるため、外部羽の直下部及び近くで発生する過流の形成位置及び範囲を汚染源が発生する条件に合わせて適切に可変させることができ、これによって吸入して排気しようとする空気の吸入範囲を調整することで装置の機能を多様化し吸排気能力をより一層増大させることができる。
【００２９】
また、回転構造物の内部または排気管の内部に過流発生用外部羽と共に回転される吸排気用内部羽を備えることにより、過流発生用外部羽の回転時に発生する過流によって形成される吸入領域の範囲内で外部羽と共に回転される吸排気用内部羽によって、汚染物質を含む空気を強制吸入して排気管を通して外部に排気する吸排気力を提供することができるため、排気管に吸排気力を形成させる別途の吸排気用駆動源を備える必要なく、ひとつの駆動源がふたつの機能を行うことができるため、装置の構成部品数を減らして全体の構造を単純化して製造コストを低減し、電力消耗を減らしてコスト面での効率を向上させることができる。
【図面の簡単な説明】
【００３０】
【図１】本発明の第１実施例による過流調節が可能な局所排気装置を図示した構成図である。
【図２】（ａ）は図１のＡ方向からみた正面図であり、（ｂ）は図１のＢ方向からみた正面図である。
【図３】本発明の第１実施例による過流調節が可能な局所排気装置を図示した分解斜視図である。
【図４】（ａ）（ｂ）（ｃ）は本発明の第１実施例による過流調節が可能な局所排気装置に備えられる角度調節部材を図示した分解斜視図である。
【図５】本発明の好ましい第１実施例による過流調節が可能な局所排気装置の回転構造物に平面状の配置面を備える正面図である。
【図６】本発明の第２実施例による過流調節が可能な局所排気装置を図示した構成図である。
【図７】本発明の第２実施例による過流調節が可能な局所排気装置を図示した構成図である。
【図８】本発明の第３実施例による過流調節が可能な局所排気装置を図示した構成図である。
【図９】本発明の第３実施例による過流調節が可能な局所排気装置を図示した構成図である。
【発明を実施するための形態】
【００３１】
以下、本発明の好ましい実施例について添付の図面を参考にさらに詳しく説明する。
【００３２】
図１は本発明の第１実施例による局所排気装置を図示した構成図で、図２（ａ）は図１のＡ方向からみた正面図で、図２（ｂ）は図１のＢ方向からみた正面図で、図３は本発明の第１実施例による局所排気装置を図示した分解斜視図である。
【００３３】
本発明の第１実施例による局所排気装置１００は、図１ないし図３に図示したとおり、排気管１０１、モーター部材１０９、回転構造物１１０及び過流発生用外部羽１３０を含む。
【００３４】
上記排気管１０１は、先端に開放された吸入口１０２を通して汚染物質を含む室内の汚染空気を強制吸入し、強制吸入した汚染空気を上記吸入口１０２の正反対側の排出口をとおして外部に案内排出する一定の長さの中空円筒状の管部材に備えられることができる。
【００３５】
上記モーター部材１０９は、上記排気管１０１の吸入口１０２の先端に配置された回転構造物１１０を一方向に強制回転させることができるよう上記排気管１０１の中心に配置されて回転構造物１１０と連結される。
【００３６】
このようなモーター部材１０９の駆動軸１０９ａは、上記回転構造物１１０の回転中心である回転軸１１２と一体に連結されるか、カップリング１１２ａを介して取替え可能であるよう組み立てられることができ、このような回転軸１１２は上記排気管１０１の中心と同じ軸上に配置される。
【００３７】
電源印加時に回転駆動力を発生させるモーター部材１０９は、上記回転構造物１１０の内部面から延長される複数の内部支持部材１１１によって上記排気管１０１の中心に配置するよう固定設置されることができる。
【００３８】
ここで、上記内部支持部材１１１は、上記排気管１０１内に強制吸入される流体との摩擦による抵抗を最小化するよう厚さの薄い板部材または棒部材で備えられることが好ましく、上記内部支持部材１１１はモーター部材１０９の胴体に一体に備えられるものと図示したが、これに限定されるのではなく、上記モーター部材１０９の故障の際に取替え及び修理が可能であるよう上記モーター部材と取替え可能に組み立てられることもできる。
【００３９】
上記回転構造物１１０は、吸排気力が提供される排気管１０１の中心を回転中心にして一方向に回転するよう上記排気管１０１の吸入口１０２の先端に一定間隔をおいて配置され、吸入方向Ｐに対して並んでいる内部面と外部面を有する中空円筒部材からなるものと図示して説明したが、これに限定されるのではなく、吸入方向に対して直交する下部面と上部面を有する中空ディスク部材からなることができる。
【００４０】
このような回転構造物１１０は、上記排気管１０１の内部の中心に配置されたモーター部材１０９の駆動軸から延長されるか、分離可能に組み立てられた回転軸１１２の先端に組み立てられるため、上記回転軸１１２の先端は上記回転構造物１１０の内部面から半径方向に延長される複数の外部支持部材１１３と連結される。
【００４１】
ここで、上記回転構造物１１０とモーター部材１０９を連結する回転軸１１２の長さが長くなる場合、上記回転軸１１２は回転駆動時の揺れを防ぐよう上記排気管１０１の内部面から半径方向に延長される軸支持部材（未図示）に備えられるベアリング部材を介して回転可能に長さの中心が支持されることもできる。
【００４２】
この際、上記回転軸１１２の先端は、外部支持部材１１３と一体に備えられることもできるが、これに限定されるのではなく、回転軸１１２と回転構造物１１０との分離のため上記外部支持部材１１３が相互接する地点に形成される組み立て孔１１３ａに着脱可能であるよう組み立て式で結合されることが好ましい。
【００４３】
また、上記回転構造物１１０は、上記排気管１０１の外径とほぼ類似な大きさに備えられるものと図示し説明したが、これに限定されるのではなく、上記回転構造物の外径は、上記排気管の外径より小さいか大きく備えられることができる。
【００４４】
上記過流発生用外部羽１３０は、上記回転構造物１１０の外部面に円周方向に一定間隔をおいて複数設置されてドーナッツ状の過流を発生させる板状の羽部材であって、このような過流発生用外部羽１３０は、モーターの駆動時に回転構造物１１０と共に回転しながら排気管１０１の下部の近くにドーナッツ状の過流を発生させることにより、上記排気管１０１内に与えられる吸排気力と共に汚染した空気をより効率的に排気管１０１内に吸入することができる。
【００４５】
このような過流発生用外部羽１３０は、上記吸入口１０２を通して強制吸入されて排気される空気の吸入方向Ｐに対して、一定角度に調整できるよう上記回転構造物１１０の外部面に角度調節部材１３５を介して組み立てられることもできる。
【００４６】
上記角度調節部材１３５は、図４（ａ）に図示したとおり、上記回転構造物１１０の外部面に垂直して一定高さ延長されて上記過流発生用外部羽１３０の胴体の中央に貫通形成された結合孔１３５ｂに挿入される垂直部材１３５ａと、上記垂直部材１３５ａを中心にして角度調節された過流発生用外部羽１３０を位置固定するよう上記垂直部材１３５ａの端部に形成された締結孔に締結されて上記過流発生用外部羽１３０に密着固定される固定部材１３５ｃと、を備えることもできる。
【００４７】
そして、上記垂直部材１３５ａは、図４（ｂ）に図示したとおり、上記結合孔１３５ｂの内部面に長さ方向に陥没形成された結合溝１３５ｅに対応して結合するよう、胴体の外部面に長さ方向に突出形成された複数の突出段差１３５ｄを備えることもできる。
【００４８】
また、上記垂直部材１３５ａは、図４（ｃ）に図示したとおり、上記結合孔１３５ｂの下段の内部面に形成された複数の結合溝１３５ｅに対応して結合するよう、胴体の下段の外部面に複数の突出段差１３５ｄを長さ方向に部分的に突出形成し、上記結合孔１３５ｂの上段の内部面に引っかかることなく挿入するよう、胴体の上段の外部面が円形の断面状に備えられることもできる。
【００４９】
ここで、上記過流発生用外部羽１３０は、上記回転構造物１１０の回転時に上記過流発生用外部羽の直下部に発生する過流の大きさを可変させることができるよう、上記垂直部材１３５ａを中心にして時計方向または時計の逆方向に一定角度回転を調節した後、上記固定部材１３５ｃによって空気の吸入方向Ｐに対して角度調節された複数の過流発生用外部羽１３０を頑固に固定する。また、上記回転構造物１１０に備えられる複数の過流発生用外部羽１３０は、全て同じ回転角度を有するよう調節することが好ましい。
【００５０】
また、上記回転構造物１１０の外部面に設置角度を調節することができるよう組み立てられる複数の過流発生用外部羽１３０は、吸入口１０２の近くの空気との摩擦抵抗による過流の発生を増大させるため、上記回転構造物の端部より吸入側（図面の上下部）に一定長さ下向きに突出するよう配置されることが好ましい。
【００５１】
さらに、上記過流発生用外部羽１３０は、一字形の断面状の板状に備えられるものと図示して説明したが、これに限定されるのではなく、曲線断面状の羽状に備えられることもできる。
【００５２】
また、上記過流発生用外部羽１３０が設置される回転構造物１１０の外部面は、後述する吸排気用内部羽１５０が固定設置される内周面と同様に、外周面に備えられるものと図示して説明したが、これに限定されるのではなく、図５に図示したとおり、上記過流発生用外部羽１３０の角度調節の際に羽胴体の下部端と回転構造物１１０の外部面が常に面接するよう平面状の配置面１１９に備えられることもでき、このような配置面１１９は、上記外部羽１３０の設置数と同じ面数に備えられるか、相対的に多い数に備えられることができる。
【００５３】
一方、モーターの駆動時に過流を発生させるよう排気管の外側の吸入口の先端に備えられる過流発生用外部羽１３０とは異なって、モーター駆動時に吸排気力を発生させるよう排気管の内部に備えられる吸排気用内部羽１５０は、上記過流発生用外部羽が備えられる回転構造物１１０の内周面に一体に備えられるか、上記モーター部材１０９の回転軸１１２に独立して備えられることができる。
【００５４】
これによって、上記吸排気用内部羽１５０は、上記回転構造物１１０の内周面に円周方向に一定間隔をおいて複数設置されるか上記回転軸１１２に備えられる場合、上記回転構造物の回転時に過流を発生させる過流発生用外部羽１３０と共に回転しながら室内の汚染空気を排気管１０１内に強制吸入して排気する吸排気力を発生させる。
【００５５】
このような吸排気用内部羽１５０の固定端１５２は、上記回転構造物１１０の内周面に一体または着脱可能に固定されることができ、上記吸排気用内部羽１５０の自由端１５４は、上記固定端１５２から回転中心方向に一定高さ延長された後、上記吸入口１０２側に大体直角方向に屈曲して上記吸入口１０２内に端部の一部が進入するよう一定長さ延長される。
【００５６】
ここで、上記吸排気用内部羽１５０は、空気の吸入方向Ｐに対して上記固定端１５２から自由端１５４に延長される羽の胴体が一側に傾斜して備えられるか螺旋状に備えられることができる。
【００５７】
さらに、上記固定端と自由端との間の回転構造物１１０の回転中心と対応する吸排気用内部羽１５０の外側の輪郭１５３は、上記吸排気用内部羽１５０の回転時に汚染物質を含んだ空気との摩擦抵抗を最小化するよう曲線状に備えられることが好ましい。
【００５８】
上記吸入口１０２の内部に進入して上記排気管１０１の内部面と対応する吸排気用内部羽１５０の外側輪郭１５５は、上記吸排気用内部羽１５０の回転時に上記排気管との干渉が発生しないよう上記排気管の内部面と一定間隔をおいて離隔配置される。
【００５９】
一方、図６及び図７は、本発明の第２実施例による局所排気装置を図示した構成図であって、上記局所排気装置１００ａは、上記回転構造物１１０に吸排気用内部羽１５０を備える代わりに、上記回転軸１１２の長さの中心に少なくてもひとつの吸排気用内部羽１５０ａを備えることにより、モーターの駆動時に発生する吸排気力の発生源を排気管１０１の管内部に形成するようにする。
【００６０】
このような場合、吸排気用内部羽１５０ａは、図６に図示したとおり、上記回転構造物１１０に備えられたものと同様に、上記回転軸１１２から半径方向に延長された支持部材１１３ａに連結されて上記排気管内に配置される内部回転構造物１１０ａの内周面に、円周方向に一定間隔をおいて備えられる複数の羽部材からなることができる。
【００６１】
上記吸排気用内部羽１５０ａは、上記内部回転構造物１１０ａの内周面に一体または着脱可能に固定される固定端１５２ａと、上記固定端１５２ａから回転中心方向に一定高さ延長された後、排気管内に大体直角方向に曲がって一定長さ延長される自由端１５４ａ及び上記固定端と自由端との間を連結する内外輪郭１５３ａ、１５５ａを含む。
【００６２】
ここで、上記過流発生用吸排気用内部羽１５０ａは、上記吸入口の先端の回転構造物１１０に備えられた羽状と同様に備えられるものと図示したが、これに限定されるものではなく、回転駆動時に排気管の内部に吸排気力を発生させるよう、インペラ、シロッコファンまたはボックス状ファンのような様々な形態の吸入用羽状に備えられることができる。
【００６３】
これによって、上記吸排気用内部羽１５０ａが排気管１０１の内部に配置されてモーター駆動時に排気管の内部に吸排気力を発生させることにより、排気管１０１の内部に配置された吸排気用内部羽１５０から発生した吸排気力が外部により損傷することを減らすことができるため、局所排気装置の駆動効率及び吸排気力を向上させることができる。
【００６４】
また、上記局所排気装置１００ａは、図６に図示したとおり、上記モーター部材の駆動時に回転する回転構造物１１０に角度の調整が可能な過流発生用外部羽１３０を備えることもできるが、図７に図示したとおり、上記回転構造物１１０の外部面に角度の調整が困難であるよう過流発生用外部羽１３０ａの端部が固定設置されることもでき、このような過流発生用外部羽１３０ａは、回転構造物１１０の外部面に、円周方向に一定間隔をおいて複数設置される。
【００６５】
ここで、上記吸排気用内部羽１５０ａは、回転軸に備えられるものと図示して説明したが、これに限定されるのではなく、上記過流発生用外部羽１３０ａが固定設置される回転構造物１１０の内周面に備えられることもできる。
【００６６】
図８及び図９は、本発明の第３実施例による局所排気装置を図示した構成図であって、上記局所排気装置１００ｂは、図１、図６及び図７に図示したとおり、吸入方向Ｐに対して並んでいる内周面と外周面を有する中空円筒部材からなる回転構造物１１０ｂの外部面に複数の過流発生用外部羽１３０を角度の調整が可能であるか、角度の調整が困難であるよう備える代わりに、吸入方向に対して直交する下部面と上部面を有する中空ディスク部材からなる回転構造物１１０ｂの下部面に角度の調整が可能であるか、角度の調整が困難であるよう複数の過流発生用外部羽１３０ｂを備えたものである。
【００６７】
上記回転構造物１１０ｂの下部面に備えられる過流発生用外部羽１３０ｂは、図８に図示したとおり、上記回転構造物１１０ｂの下部面に角度調節部材１３５を介して角度調整ができるよう組み立てられることができ、このような角度調節部材１３５は、第１実施例と同様に過流発生用外部羽１３０ｂの結合孔１３５ｂに挿入される垂直部材１３５ａと、上記垂直部材１３５ａの端部に形成された締結孔に締結されて上記過流発生用外部羽１３０ｂに密着固定される固定部材１３５ｃからなることができる。
【００６８】
また、上記過流発生用外部羽１３０ｃは、図９に図示したとおり、上記回転構造物１１０ｂの下部面に角度の調整が困難であるよう上部段が固定設置されることもできる。
【００６９】
上記のような構成を有する局所排気装置１００、１００ａ、１００ｂを作動して汚染した空気を外部に排気しようとする場合、排気管１０１の先端の吸入口１０２に過流発生用外部羽を有する回転構造物１１０、１１０ｂを設置した状態で、排気管１０１内に設置されたモーター部材１０９に外部電源が印加されると、上記回転構造物１１０、１１０ｂは回転軸１１２を中心にして一方向に回転する。
【００７０】
続いて、上記回転構造物１１０、１１０ｂの一方向の回転と共に、上記回転構造物１１０、１１０ｂの外部面または下部面に設置された複数の過流発生用外部羽１３０、１３０ｂも同一方向に回転する。
【００７１】
すなわち、上記回転構造物と共に回転する過流発生用外部羽１３０、１３０ａ、１３０ｂによって上記排気管１０１の直下部及び近くの空気を回転構造物の半径方向である外側に押し出すことでドーナッツ状の過流を形成するようになり、この際に、上記過流発生用外部羽によって強制に形成された過流は、汚染物質が発生する領域と汚染物質が発生しない領域を区切るエアカーテンの役割をする。
【００７２】
これと同時に、上記モーター部材の駆動時に上記回転構造物１１０の内部面や上記回転軸１１２に設置された吸排気用内部羽１５０、１５０ａは、過流発生用外部羽と同じ方向に回転駆動しながら上記吸排気用内部羽の設置された位置に応じて排気管１０１の吸入口の先端に配置された回転構造物１１０の内部に一定強さの吸排気力を発生させたり、上記排気管１０１の内部に一定強さの吸排気力を発生させたりするようになる。
【００７３】
これによって、上記吸排気用内部羽によって強制に形成された吸排気力によって、汚染発生領域から発生した汚染物質を含んだ空気を排気管１０１の吸入口１０２を通して集中的に強制吸入して排気管を通して外部に排気するのである。
【００７４】
一方、上記回転構造物の外部面または下部面に組み立てられる過流発生用外部羽１３０、１３０ｂの設置角度は、角度調節部材１３５によって空気の吸入方向Ｐに対して一定角度に調節することにより、上記過流発生用外部羽によって発生する過流の大きさを調節することができるため、上記吸入口の下部領域に形成される吸入領域の大きさを適切に可変させることができる。
【００７５】
すなわち、図４（ａ）に図示したとおり、上記過流発生用外部羽の胴体の中央に貫通形成された結合孔１３５ｂに挿入された垂直部材１３５ａを回転中心にして、上記過流発生用外部羽を時計方向または時計の逆方向に一定角度回転させた後、上記垂直部材１３５ａの端部に形成された締結孔に締結される固定部材１３５ｃによって予め設定された角度に調節された過流発生用外部羽の位置を頑固に固定し、このような角度調節作業は、上記回転構造物の外部面に複数設置された過流発生用外部羽に対して同様に適用される。
【００７６】
または、図４（ｂ）に図示したとおり、上記過流発生用外部羽の胴体の中央に貫通形成された結合孔１３５ｂを上記垂直部材１３５ａから完全に分離した状態で上記過流発生用外部羽を時計方向または時計の逆方向に一定角度回転させた後、上記結合孔１３５ｂの内部面に陥没形成された結合溝１３５ｅと上記垂直部材１３５ａの外部面に形成された突出段差１３５ｄが相互対応して結合するよう組み立てると同時に、上記垂直部材１３５ａの端部に形成された締結孔に締結される固定部材１３５ｃによって予め設定された角度に調節された過流発生用外部羽１３０の位置を頑固に固定することもできる。
【００７７】
または、図４（ｃ）に図示したとおり、上記過流発生用外部羽の胴体の中央に貫通形成された結合孔１３５ｂの下部段に部分的に形成された引っ掛け溝が突出段差から一時分離するよう、上記引っ掛け溝を垂直部材１３５ａの円形断面の部分に配置した状態で、上記外部羽１３０を時計方向または時計の逆方向に一定角度回転させた後、上記結合孔１３５ｂの内部面の下段に形成された結合溝１３５ｅと上記垂直部材１３５ａの外部面の下段に形成された突出段差１３５ｄが互いに対応して結合するよう組み立てると同時に、上記垂直部材１３５ａの端部に形成された締結孔に締結される固定部材１３５ｃによって予め設定された角度に調節された過流発生用外部羽の位置を頑固に固定することもできる。
【００７８】
上記のように、過流発生用外部羽の設置角度が空気の吸入方向Ｐに対して予め設定された角度に傾斜するよう固定設置されるか、調節完了した状態で上記過流発生用外部羽が強制回転すると、上記外部羽が空気の吸入方向Ｐと平行した状態の場合よりも上記外部羽と接する空気をより確実に外側に押し出して上記過流が発生する位置を外側へとより一層拡大することができるため、汚染物質を含んだ空気を強制吸入して排気する吸入領域をより一層広くすることができる。
【００７９】
本発明は、特定の実施例に関して図示して説明したが、添付の特許請求範囲によって備えられる本発明の精神や分野を外れない限度内で本発明が多様に改造及び変化できるということは当業界の通常の知識を有する者は容易に分かることを明らかにする。
【図１】
2012514178.tif 000003
【図２（ａ）】
2012514178.tif 000004
【図２（ｂ）】
2012514178.tif 000005
【図３】
2012514178.tif 000006
【図４（ａ）】
2012514178.tif 000007
【図４（ｂ）】
2012514178.tif 000008
【図４（ｃ）】
2012514178.tif 000009
【図５】
2012514178.tif 000010
【図６】
2012514178.tif 000011
【図７】
2012514178.tif 000012
【図８】
2012514178.tif 000013
【図９】
2012514178.tif 000014
【国際調査報告】
2012514178.tif 000015
2012514178.tif 000016
2012514178.tif 000017
2012514178.tif 000018